(57)【特許請求の範囲】
【請求項１】
複数のデジタルサイネージのそれぞれに対応する位置に設置された各無線ＬＡＮアクセスポイントから、対応する前記デジタルサイネージの周囲に存在する無線端末の識別情報をそれぞれ取得する取得手段と、
前記デジタルサイネージに表示する表示コンテンツと当該表示コンテンツのターゲットとなる通行人の条件の情報とを含む表示情報を受け付ける受付手段と、
前記無線端末の購入ユーザの属性と前記無線端末の機種情報とを関連付けて記憶する端末情報記憶手段と、
前記取得手段によって識別情報を取得した無線端末の機種情報を、前記無線端末の識別情報と機種情報とを関連付けたテーブルに基づいて判定し、当該無線端末の機種情報に対応する購入ユーザの情報を前記端末情報記憶手段から取得して、各前記デジタルサイネージの周囲にいる各通行人の属性を判定する判定手段と、
前記表示コンテンツ毎に、前記判定手段による判定結果に基づき、前記通行人の属性の条件を満たすデジタルサイネージを、前記複数のデジタルサイネージの中から選択する選択手段と、
前記選択手段によって選択された各デジタルサイネージにそれぞれ表示対象となる前記表示コンテンツを送信する送信手段と
を備えることを特徴とする表示管理装置。
【請求項２】
前記表示情報の情報には、表示条件として支払い金額の情報を含み、
前記選択手段は、
複数の前記表示情報において、前記通行人の条件を満たすデジタルサイネージが重複する場合、前記支払い金額が高い方の前記表示情報に含まれる表示コンテンツを優先して前記デジタルサイネージの選択を行う
ことを特徴とする請求項１に記載の表示管理装置。
【請求項３】
前記判定手段は、
前記取得手段によって取得した無線端末の識別情報の数から、各前記デジタルサイネージの周囲にいる通行人の人数を判定し、
前記表示コンテンツのターゲットとなる通行人の条件には、通行人の人数を含み、
前記選択手段は、
前記表示コンテンツ毎に、前記判定手段によって判定された通行人の属性および人数に基づき、前記通行人の属性および人数の条件を満たすデジタルサイネージを選択する
ことを特徴とする請求項２に記載の表示管理装置。
【請求項４】
前記判定手段は、
前記取得手段によって識別情報を取得した無線端末のうち電波強度が所定値以上の無線端末の識別情報の数から、各前記デジタルサイネージの周囲にいる通行人の人数を判定する
ことを特徴とする請求項３に記載の表示管理装置。
【請求項５】
前記判定手段は、
前記取得手段によって識別情報を取得した無線端末のうち滞在時間が所定時間以上の無線端末の識別情報の数から、各前記デジタルサイネージの周囲にいる通行人の人数を判定する
ことを特徴とする請求項３または４に記載の表示管理装置。
【請求項６】
前記判定手段によって判定された通行人の人数に応じて各前記デジタルサイネージの最低表示価格を設定する表示価格設定手段を備え、
前記選択手段は、
各前記デジタルサイネージの選択を、それぞれ対応する前記最低表示価格が前記支払い金額以下である前記表示情報に含まれる表示コンテンツに対して行う
ことを特徴とする請求項３〜５のいずれか１つに記載の表示管理装置。
【請求項７】
前記表示情報には、複数の表示コンテンツと、前記複数の表示コンテンツの表示順序の条件とを含み、
前記選択手段は、
前記複数の表示コンテンツの表示順序が前記表示情報に含まれる条件を満たすように前記デジタルサイネージを選択する
ことを特徴とする請求項１〜６のいずれか１つに記載の表示管理装置。
【請求項８】
前記選択手段は、
前記表示コンテンツ毎に、定期的または所定の条件に基づいて繰り返し前記表示コンテンツを表示するデジタルサイネージの選択を行い、
前記送信手段は、
前記選択手段によって前記デジタルサイネージの選択が行われる度に、当該選択されたデジタルサイネージに表示対象となる前記表示コンテンツを送信する
ことを特徴とする請求項１〜７のいずれか１つに記載の表示管理装置。
【請求項９】
前記送信手段は、
前記表示コンテンツに関連する情報を、当該表示コンテンツを送信した前記デジタルサイネージに対応する前記無線ＬＡＮアクセスポイントから前記取得手段によって識別情報を取得した無線端末に前記無線ＬＡＮアクセスポイントを介して送信する
ことを特徴とする請求項１〜８のいずれか１つに記載の表示管理装置。
【請求項１０】
複数のデジタルサイネージと、
前記複数のデジタルサイネージのそれぞれに対応する位置に設置された複数の無線ＬＡＮアクセスポイントと、
前記複数の無線ＬＡＮアクセスポイントによって検出された無線端末の識別情報に基づいて、各前記デジタルサイネージに対応するコンテンツを選択して配信するコンテンツ配信処理装置と、を備え、
各前記無線ＬＡＮアクセスポイントから、対応する前記デジタルサイネージの周囲に存在する無線端末の識別情報をそれぞれ取得する取得手段と、
前記デジタルサイネージに表示する表示コンテンツと当該表示コンテンツのターゲットとなる通行人の条件の情報とを含む表示情報を受け付ける受付手段と、
前記無線端末の購入ユーザの属性と前記無線端末の機種情報とを関連付けて記憶する端末情報記憶手段と、
前記取得手段によって識別情報を取得した無線端末の機種情報を、前記無線端末の識別情報と機種情報とを関連付けたテーブルに基づいて判定し、当該無線端末の機種情報に対応する購入ユーザの情報を前記端末情報記憶手段から取得して、各前記デジタルサイネージの周囲にいる各通行人の属性を判定する判定手段と、
前記表示コンテンツ毎に、前記判定手段による判定結果に基づき、前記通行人の属性の条件を満たすデジタルサイネージを、前記複数のデジタルサイネージの中から選択する選択手段と、
前記選択手段によって選択された各デジタルサイネージにそれぞれ表示対象となる前記表示コンテンツを送信する送信手段と
を備えることを特徴とする表示システム。
【請求項１１】
コンピュータが実行する表示管理方法であって、
複数のデジタルサイネージのそれぞれに対応する位置に設置された各無線ＬＡＮアクセスポイントから、対応する前記デジタルサイネージの周囲に存在する無線端末の識別情報をそれぞれ取得する取得工程と、
前記デジタルサイネージに表示する表示コンテンツと当該表示コンテンツのターゲットとなる通行人の条件の情報とを含む表示情報を受け付ける受付工程と、
前記取得工程によって識別情報を取得した無線端末の機種情報を、前記無線端末の識別情報と機種情報とを関連付けたテーブルに基づいて判定し、当該無線端末の機種情報に対応する購入ユーザの情報を、前記無線端末の購入ユーザの属性と前記無線端末の機種情報とを関連付けて記憶する端末情報記憶手段から取得して、各前記デジタルサイネージの周囲にいる各通行人の属性を判定する判定工程と、
前記表示コンテンツ毎に、前記判定工程による判定結果に基づき、前記通行人の属性の条件を満たすデジタルサイネージを、前記複数のデジタルサイネージの中から選択する選択工程と、
前記選択工程によって選択された各デジタルサイネージにそれぞれ表示対象となる前記表示コンテンツを送信する送信工程と
を含むことを特徴とする表示管理方法。
【請求項１２】
複数のデジタルサイネージのそれぞれに対応する位置に設置された各無線ＬＡＮアクセスポイントから、対応する前記デジタルサイネージの周囲に存在する無線端末の識別情報をそれぞれ取得する取得手順と、
前記デジタルサイネージに表示する表示コンテンツと当該表示コンテンツのターゲットとなる通行人の条件の情報とを含む表示情報を受け付ける受付手順と、
前記取得手順によって識別情報を取得した無線端末の機種情報を、前記無線端末の識別情報と機種情報とを関連付けたテーブルに基づいて判定し、当該無線端末の機種情報に対応する購入ユーザの情報を、前記無線端末の購入ユーザの属性と前記無線端末の機種情報とを関連付けて記憶する端末情報記憶手段から取得して、各前記デジタルサイネージの周囲にいる各通行人の属性を判定する判定手順と、
前記表示コンテンツ毎に、前記判定手順による判定結果に基づき、前記通行人の属性の条件を満たすデジタルサイネージを、前記複数のデジタルサイネージの中から選択する選択手順と、
前記選択手順によって選択された各デジタルサイネージにそれぞれ表示対象となる前記表示コンテンツを送信する送信手順と
をコンピュータに実行させることを特徴とする表示管理プログラム。
【発明の詳細な説明】
【技術分野】
【０００１】
本発明は、表示管理装置、表示システム、表示管理方法および表示管理プログラムに関する。
【背景技術】
【０００２】
近年、通信ネットワークを介して配信されるデジタルコンテンツを表示するデジタルサイネージと呼ばれる電子広告媒体が、店舗、街頭、駅、空港、ホテルなどの様々な場所に設置されている。広告主は、通信ネットワークを介して広告を出稿することでデジタルサイネージでの広告コンテンツの表示を行うことができる。
【０００３】
広告主から出稿された広告は、一般に、予め契約等で設定されたデジタルサイネージに表示されるが、この場合、広告主はデジタルサイネージの管理者に対して申し込みや交渉などの煩雑な手続を行う必要がある。そのため、広告を表示するデジタルサイネージをオークション形式で決定する技術が提案されている（例えば、特許文献１参照）。
【先行技術文献】
【特許文献】
【０００４】
【特許文献１】特開２０１０−１８２２０２号公報
【発明の概要】
【発明が解決しようとする課題】
【０００５】
しかしながら、特許文献１に記載の技術では、広告主の要望にマッチするデジタルサイネージが、デジタルサイネージの媒体主によって予め入力された媒体情報に基づいて選択される。
【０００６】
したがって、媒体情報の内容は媒体主からの入力に委ねられることになり、適切なデジタルサイネージを選択することができないおそれがある。
【０００７】
本願は、上記に鑑みてなされたものであって、広告主などからの要望に応じたデジタルサイネージを適切に選択することができる表示管理装置、表示システム、表示管理方法および表示管理プログラムを提供することを目的とする。
【課題を解決するための手段】
【０００８】
本願に係る表示管理装置は、複数のデジタルサイネージのそれぞれに対応する位置に設置された各無線ＬＡＮアクセスポイントから、対応する前記デジタルサイネージの周囲に存在する無線端末の識別情報をそれぞれ取得する取得手段と、前記デジタルサイネージに表示する表示コンテンツと当該表示コンテンツのターゲットとなる通行人の条件の情報とを含む表示情報を受け付ける受付手段と、前記無線端末の購入ユーザの属性と前記無線端末の機種情報とを関連付けて記憶する端末情報記憶手段と、前記取得手段によって識別情報を取得した無線端末の機種情報を、前記無線端末の識別情報と機種情報とを関連付けたテーブルに基づいて判定し、当該無線端末の機種情報に対応する購入ユーザの情報を前記端末情報記憶手段から取得して、各前記デジタルサイネージの周囲にいる各通行人の属性を判定する判定手段と、前記表示コンテンツ毎に、前記判定手段による判定結果に基づき、前記通行人の属性の条件を満たすデジタルサイネージを、前記複数のデジタルサイネージの中から選択する選択手段と、前記選択手段によって選択された各デジタルサイネージにそれぞれ表示対象となる前記表示コンテンツを送信する送信手段とを備えることを特徴とする。
【発明の効果】
【０００９】
本願に係る表示管理装置、表示システム、表示管理方法および表示管理プログラムは、広告主などからの要望に応じたデジタルサイネージを適切に選択することができるという効果を奏する。
【図面の簡単な説明】
【００１０】
【図１】図１は、実施形態に係る表示システムが行う表示管理処理の説明図である。
【図２】図２は、実施形態に係る表示システムの構成例を示す図である。
【図３】図３は、実施形態に係る無線ＬＡＮアクセスポイントの構成例を示す図である。
【図４】図４は、実施形態に係る表示管理装置の構成例を示す図である。
【図５】図５は、入札情報テーブルの一例を示す図である。
【図６】図６は、ＤＳ情報テーブルの一例を示す図である。
【図７】図７は、通行人情報テーブルの一例を示す図である。
【図８】図８は、ユーザ情報テーブルの一例を示す図である。
【図９】図９は、実施形態に係る無線ＬＡＮアクセスポイントにおける情報処理のフローチャートである。
【図１０】図１０は、実施形態に係る表示管理装置における情報処理のフローチャートである。
【図１１】図１１は、図１０に示す検出情報処理のフローチャートである。
【図１２】図１２は、表示コンテンツの内容の一例を示す図である。
【図１３】図１３は、図１０に示す入札処理のフローチャートである。
【発明を実施するための形態】
【００１１】
以下に、本願に係る表示管理装置、表示システム、表示管理方法および表示管理プログラムを実施するための形態（以下、「実施形態」と呼ぶ）について図面を参照しつつ詳細に説明する。なお、この実施形態により本願に係る表示管理装置、表示システム、表示管理方法および表示管理プログラムが限定されるものではない。
【００１２】
［１．表示管理処理］
まず、実施形態に係る表示管理処理について説明する。図１は、実施形態に係る表示システムが行う表示管理処理の説明図である。
【００１３】
図１に示すように、実施形態に係る表示システムは、表示管理装置と、複数のデジタルサイネージとを備え、各デジタルサイネージは、表示管理装置から送信される表示コンテンツを表示する。表示コンテンツは、例えば、静止画像、動画像などのデジタルコンテンツである。
【００１４】
複数のデジタルサイネージのそれぞれに対応する位置には、各デジタルサイネージの周囲を通行中の人や滞在している人（以下、通行人と記載する）が所持する無線端末と通信可能な無線ＬＡＮ（Local  Area  Network）アクセスポイントが設置されている。無線ＬＡＮアクセスポイントは、対応するデジタルサイネージの周囲を通信エリアとしている。無線ＬＡＮアクセスポイントの通信エリアは、変更可能であり、ここでは、デジタルサイネージで表示される表示コンテンツを視認することができる範囲を無線ＬＡＮアクセスポイントの通信エリアとするが、かかる通信エリアに限定されるものではない。無線ＬＡＮアクセスポイントは、対応するデジタルサイネージの周囲に存在する無線端末の識別情報（以下、端末ＩＤと記載する）をそれぞれ取得することができる位置に設置される。
【００１５】
表示管理装置は、各無線ＬＡＮアクセスポイントから端末ＩＤの情報を取得し、各デジタルサイネージの周囲にいる通行人の人数や属性を媒体属性として判定する。通行人の人数は端末ＩＤの数に基づいて判定され、通行人の属性は、端末ＩＤに関連づけられたユーザの属性に基づいて判定される。
【００１６】
表示管理装置は、表示情報を広告主端末から受け付ける。表示情報には、デジタルサイネージに表示する表示コンテンツに加え、表示条件の情報が含まれており、表示管理装置は、判定した媒体属性のデジタルサイネージのうち、かかる表示条件を満たす媒体属性のデジタルサイネージを選択する。
【００１７】
そして、表示管理装置は、選択した各デジタルサイネージにそれぞれ表示対象となる表示コンテンツを送信する。これにより、各デジタルサイネージでは、広告主の表示条件を満たす媒体属性のデジタルサイネージに広告主からの表示コンテンツが表示される。
【００１８】
このように、実施形態に係る表示システムでは、無線ＬＡＮアクセスポイントで容易に取得することができる無線端末の識別情報に基づいてデジタルサイネージ周囲の通行人の情報（以下、単に「通行人情報」という。）を取得する。そして、取得した通行人情報に基づいて複数のデジタルサイネージの中から表示コンテンツを表示するデジタルサイネージを選択する。したがって、表示システムでは、通行人情報をリアルタイムで容易に検出することができるため、広告主の要望にマッチするデジタルサイネージを適切に選択することが可能となる。
【００１９】
［２．表示システムの構成］
図２を用いて、実施形態に係る表示システムの構成例について説明する。図２は、実施形態に係る表示システムの構成例を示す図である。
【００２０】
図２に例示するように、表示システム１は、複数のデジタルサイネージ２１〜２ｎと、複数の無線ＬＡＮアクセスポイント３１〜３ｎと、表示管理装置４と、広告主端末５１〜５ｎを備え、これらは通信ネットワーク６を介して通信可能に接続される。通信ネットワーク６は、例えば、インターネットなどのＷＡＮ（Wide  Area  Network）である。
【００２１】
デジタルサイネージ２１〜２ｎはそれぞれ媒体主によって管理され、無線ＬＡＮアクセスポイント３１〜３ｎおよび表示管理装置４は、広告表示サービス業者によって管理される。また、広告主端末５１〜５ｎは、各広告主によって管理される。なお、広告主端末５１〜５ｎを区別する必要がない場合には、これらを総称して「広告主端末５」と表記する。
【００２２】
デジタルサイネージ２１〜２ｎは、例えば、液晶ディスプレイ、プラズマディスプレイ、有機ＥＬディスプレイなどのディスプレイやプロジェクタを備える。かかるデジタルサイネージ２１〜２ｎは、無線／有線ＬＡＮ通信機能を有しており、例えば、無線ＬＡＮ経由の場合には、それぞれ無線ＬＡＮアクセスポイント３１〜３ｎを介して表示管理装置４から表示コンテンツを受信して表示することができる。また、デジタルサイネージ２１〜２ｎは、有線ＬＡＮ経由で無線ＬＡＮアクセスポイント３１〜３ｎや他のネットワークを介して表示管理装置４から表示コンテンツを受信して表示することもできる。なお、デジタルサイネージ２１〜２ｎを区別する必要がない場合には、これらを総称して「デジタルサイネージ２」と表記する。
【００２３】
無線ＬＡＮアクセスポイント３１〜３ｎは、それぞれデジタルサイネージ２１〜２ｎに対応して設けられ、対応するデジタルサイネージ２の周囲をその通信エリアとして設置される。例えば、デジタルサイネージ２１に対応して設けられた無線ＬＡＮアクセスポイント３１は、デジタルサイネージ２１の周囲となる通信エリアに存在する無線端末７１〜７ｎの識別情報を取得する。なお、ここでは、デジタルサイネージ２１〜２ｎで表示される表示コンテンツを視認することができる範囲を無線ＬＡＮアクセスポイント３１〜３ｎの通信エリアとする。例えば、各デジタルサイネージ２１〜２ｎでの表示により広告効果がある範囲を各無線ＬＡＮアクセスポイント３１〜３ｎの通信エリアとすることができる。
【００２４】
無線ＬＡＮアクセスポイント３１〜３ｎを区別する必要がない場合には、これらを総称して「無線ＬＡＮアクセスポイント３」と表記する。また、無線端末７１〜７ｎを区別する必要がない場合には、これらを総称して「無線端末７」と表記する。
【００２５】
無線端末７は、例えば、スマートフォンなどのように、無線ＬＡＮ通信機能を備えた携帯電話機であり、各ユーザに所有される。無線端末７は、ブラウザを搭載しており、図示しないサイトから提供されるページの情報を表示する。例えば、通信ネットワーク６がインターネットである場合、サイトから提供されるページは、ＨＴＭＬ（HyperText  Markup  Language）などのマークアップ言語で規定されるウェブページである。
【００２６】
また、無線端末７は、専用アプリケーションを搭載している。専用アプリケーションは、例えば、表示管理装置４から無線端末７に提供されるプログラムであり、無線端末７は、専用アプリケーションによって、表示管理装置４から提供されるコンテンツを無線端末７の表示部に表示することができる。
【００２７】
［３．無線ＬＡＮアクセスポイントの構成］
図３は、実施形態に係る無線ＬＡＮアクセスポイント３の構成例を示す図である。図３に示すように、無線ＬＡＮアクセスポイント３は、無線ＬＡＮインタフェース（Ｉ／Ｆ）４１と、通信Ｉ／Ｆ４２と、制御部４３と、記憶部４４とを備える。
【００２８】
無線ＬＡＮインタフェース４１は、無線ＬＡＮ用ＮＩＣ（Network  Interface  Card）等のインタフェースであり、無線ＬＡＮ通信機能を搭載した無線端末７との間で情報の送受信を行う。なお、無線ＬＡＮとして、例えば、ＩＥＥＥ８０２．１１によって規定される無線ＬＡＮなどがあるが、かかる規格の無線ＬＡＮに限定されるものではない。
【００２９】
通信Ｉ／Ｆ４２は、ＷＡＮ側ＮＩＣ等のインタフェースであり、ＷＡＮ側の通信ネットワーク６を介して表示管理装置４との間で情報の送受信を無線または有線で行う。
【００３０】
制御部４３は、ＡＳＩＣ（Application  Specific  Integrated  Circuit）やＦＰＧＡ（Field  Programmable  Gate  Array）等の集積回路により実現される。また、制御部４３は、例えば、ＣＰＵ（Central  Processing  Unit）やＭＰＵ（Micro  Processing  Unit）等によって、図示しない内部の記憶装置に記憶されているプログラムがＲＡＭを作業領域として実行されることにより実現される。かかる制御部４３は、以下に説明する情報処理の機能や作用を実現または実行する。
【００３１】
記憶部４４は、例えば、ＲＡＭ（Random  Access  Memory)、フラッシュメモリ（Flash  Memory）等の半導体メモリ素子、または、ハードディスク、光ディスク等の記憶装置である。
【００３２】
［４．表示管理装置の構成］
図４は、実施形態に係る表示管理装置４の構成例を示す図である。表示管理装置４は、通信Ｉ／Ｆ１０と、制御部２０と、記憶部３０とを備える。さらに制御部２０は、受付部２１と、取得部２２と、判定部２３と、選択部２４と、設定部２５と、送信部２６とを備える。
【００３３】
通信Ｉ／Ｆ１０は、通信ネットワーク６に接続されるＮＩＣ（Network  Interface  Card）等のインタフェースである。制御部２０は、通信Ｉ／Ｆ１０を介して、無線端末７および無線ＬＡＮアクセスポイント３等との間で各種の情報を送受信する。
【００３４】
制御部２０は、例えば、ＡＳＩＣやＦＰＧＡ等の集積回路により実現される。また、制御部２０は、例えば、ＣＰＵやＭＰＵ等によって、図示しない内部の記憶装置に記憶されているプログラムがＲＡＭを作業領域として実行されることにより実現される。かかる制御部２０は、以下に説明する情報処理の機能や作用を実現または実行する。
【００３５】
記憶部３０は、例えば、ＲＡＭ、フラッシュメモリ等の半導体メモリ素子、または、ハードディスク、光ディスク等の記憶装置であり、入札情報３１、通行人情報３２、ユーザ情報３３などを記憶する。
【００３６】
（入札情報）
入札情報３１は、広告主端末５を介して取得される表示情報から制御部２０によって記憶部３０に記憶される情報であり、入札情報テーブルと表示コンテンツの情報などを含む。図５は、入札情報テーブルの一例を示す図である。
【００３７】
図５に示すように、入札情報テーブルには、広告主ＩＤ毎に、入札ＩＤ、表示条件、表示コンテンツ条件などの各情報を対応付けた情報が含まれる。
【００３８】
広告主ＩＤは、各広告主に割り当てられるＩＤであり、広告主端末５から送信される表示情報に含まれる。制御部２０は、広告主端末５から表示情報を取得した場合に、表示情報に新たな広告主ＩＤが含まれている場合、かかる広告主ＩＤを入札情報テーブルに設定する。なお、図５に示す例では、一つの広告主ＩＤに対して、一つの入札ＩＤが割り当ているが、同一広告主から表示情報が複数取得された場合には、一つの広告主ＩＤに対して複数の入札ＩＤが割り当てられる。
【００３９】
入札ＩＤは、表示情報毎に割り当てられるＩＤであり、例えば、広告主端末５から表示情報を取得する毎に、制御部２０によって入札情報テーブルに設定される。図５に示す例では、入札ＩＤとして、「１０１」、「１０２」、「１０３」、「１０４」、・・・などの固有情報が割り当てられる。
【００４０】
表示条件には、通行人条件と金額条件とが含まれる。通行人条件は、デジタルサイネージ２の周囲の通行人に関する条件であり、通行人数の条件と、通行人属性の条件とが含まれる。通行人数の条件は、単位時間当たりにデジタルサイネージ２の周囲を通過および滞在する通行人数の条件であり、通行人属性の条件は、単位時間当たりにデジタルサイネージ２の周囲を通過する通行人のデモグラフィック属性の条件である。
【００４１】
図５に示す入札情報テーブルの例では、通行人数の条件として、「人が多い」、「なし」が設定されている。「人が多い」は、単位時間当たりにデジタルサイネージ２の周囲を通過する通行人数が所定数以上であることを条件とする。また、「なし」は、単位時間当たりにデジタルサイネージ２の周囲を通過する通行人数は条件としない。
【００４２】
また、図５に示す入札情報テーブルの例では、通行人数の属性として、「女性が多い」、「なし」が設定されている。「女性が多い」は、単位時間当たりにデジタルサイネージ２の周囲を通過する通行人のうちの女性の割合が所定値以上であることを条件とする。また、「なし」は、単位時間当たりにデジタルサイネージ２の周囲を通過する通行人のデモグラフィック属性は条件としない。
【００４３】
金額条件は、広告主が指定した支払い金額であり、入札に対する金額（以下、入札金額と記載する場合がある）の条件である。複数の表示情報において、通行人属性の条件を満たすデジタルサイネージ２が重複する場合に、金額条件が高い方の表示情報が優先して選択される。図５に示す入札情報テーブルの例では、単位時間当たりの金額が設定される。
【００４４】
表示コンテンツ条件には、表示順序、表示回数、表示継続時間、格納位置の各情報が含まれる。表示順序の情報は、表示情報に複数の表示コンテンツが含まれる場合に、それらの表示コンテンツをどの順番で表示するかを示す情報である。
【００４５】
表示回数の情報は、デジタルサイネージ２に表示する回数を示す情報であり、表示継続時間は、デジタルサイネージ２に表示コンテンツを連続して表示する時間を示す情報である。また、格納位置は、表示コンテンツの格納位置の情報である。
【００４６】
図５に示す例では、入札ＩＤ「１０１」には、２つの表示コンテンツが設定され、表示順序「１」である表示コンテンツが、２時間単位で１０回表示され、表示順序「２」である表示コンテンツが、１時間単位で１０回表示される。
【００４７】
表示コンテンツの格納位置は、表示コンテンツの記憶部３０における格納位置を示す。かかる格納位置には、デジタルサイネージ２に表示する表示コンテンツ（以下、ＤＳ用表示コンテンツと記載する）と、デジタルサイネージ２の周囲に存在する無線端末７に表示する表示コンテンツ（以下、端末用表示コンテンツと記載する）とが格納される。ここでは、表示コンテンツは、広告コンテンツであるが、広告コンテンツに限定されるものではない。
【００４８】
ＤＳ用表示コンテンツと端末用表示コンテンツとは互いに関連する情報であり、デジタルサイネージ２への表示と無線端末７への表示とにより通行人に対する広告効果を高めることができる。
【００４９】
（通行人情報）
通行人情報３２は、各無線ＬＡＮアクセスポイント３から取得される検出情報に基づいて制御部２０によって記憶部３０に記憶される情報であり、ＤＳ情報テーブル、通行人情報テーブルを含む。図６は、ＤＳ情報テーブルの一例を示す図であり、図７は、通行人情報テーブルである。
【００５０】
図６に示すように、ＤＳ情報テーブルには、ＡＰ−ＩＤ毎に、端末ＩＤ、進入時刻、電波強度などの各情報を対応付けた情報が含まれる。
【００５１】
ＡＰ−ＩＤは、デジタルサイネージ２に対応させて設置された無線ＬＡＮアクセスポイント３の通信ネットワーク６側の識別情報であり、例えば、無線ＬＡＮアクセスポイント３に割り当てられたＩＰアドレスである。なお、ＡＰ−ＩＤは、通信ネットワーク６上で送受信される通信情報に含ませることができる固有情報であればよく、ＩＰアドレスに限られるものではない。
【００５２】
端末ＩＤは、無線ＬＡＮアクセスポイント３の通信エリア（以下、ＡＰ通信エリアと記載する場合がある）に存在する無線端末７の端末ＩＤである。端末ＩＤは、無線端末７の無線ＬＡＮ通信Ｉ／Ｆ側の識別情報であり、例えば、無線端末７の無線ＬＡＮ通信Ｉ／Ｆに割り当てられたＭＡＣ（Media  Access  Control）アドレスである。無線端末７は、端末ＩＤを含む無線パケットを送受信することで無線ＬＡＮアクセスポイント３との間で通信を行う。なお、端末ＩＤは、無線端末７を識別できるものであればよく、必ずしもＭＡＣアドレスに限られるものではない。
【００５３】
進入時刻は、ＡＰ通信エリアへの無線端末７の進入時刻である。制御部２０は、かかる進入時刻と現時刻とを比較することによってＡＰ通信エリア内での無線端末７の滞在時間を検出することができる。なお、ＡＰ通信エリアから退出した無線端末７の情報は取得部２２によってＤＳ情報テーブルから削除される。
【００５４】
電波強度は、無線端末７から無線ＬＡＮアクセスポイント３へ送信される無線パケットの電波強度であり、無線ＬＡＮアクセスポイント３によって検出される情報である。かかる電波強度の情報は、無線ＬＡＮアクセスポイント３から表示管理装置４へ通知される検出情報に含まれる。なお、無線ＬＡＮアクセスポイント３から無線端末７への無線パケットの電波強度を無線端末７で検出し、かかる情報を無線ＬＡＮアクセスポイント３を介して表示管理装置４へ送信するようにしてもよい。
【００５５】
なお、ＤＳ情報テーブルにおいて、ＡＰ通信エリアに進入した無線端末７がその後ＡＰ通信エリアから退出した時刻（チェックアウト時刻）を設定するようにしてもよい。図６に示す例では、ＡＰ通信エリアから退出した無線端末７の情報は含まれていないが、ＡＰ通信エリアに進入した無線端末７がＡＰ通信エリアから退出した場合には、制御部２０によって、その退出時刻がチェックアウト時刻としてＤＳ情報テーブルに設定可能である。この場合、例えば、制御部２０によって、チェックアウト時刻が設定された「端末ＩＤ」、「チェックイン時刻」、「チェックアウト時刻」、「電波強度」の組は、制御部２０によって履歴情報として記憶部３０に記憶される。
【００５６】
図７に示すように、通行人情報テーブルには、ＡＰ−ＩＤ毎に、通行人の人数、通行人の属性などの各情報を対応付けた情報が含まれる。
【００５７】
通行人の人数は、所定時間当たりにデジタルサイネージ２の周囲に存在した通行人の人数である。また、通行人の属性は、所定時間当たりにデジタルサイネージ２の周囲に存在した通行人の属性であり、例えば、図７に示すように、「男性が多い」、「女性が多い」などの情報である。なお、通行人の属性情報としては、図７に示す例に限定されるものではなく、例えば、通行人の主な年代、主な好み、主なエリアなどの種々の属性を設定することができる。
【００５８】
（ユーザ情報）
ユーザ情報３３には、ユーザ情報テーブルが含まれる。図８は、ユーザ情報テーブルの一例を示す図である。図８に示すように、ユーザ情報テーブルには、端末ＩＤ毎に、性別、年齢、エリアなどの各ユーザ属性情報を対応付けた情報が含まれる。ユーザ属性情報は、例えば、登録要求に含まれる情報であり、無線端末７から表示管理装置４に対して、ユーザ登録を行った場合に、制御部２０によってユーザ情報テーブルに設定される。
【００５９】
端末ＩＤは、無線端末７のユーザ毎に割り当てられたＩＤであり、例えば、無線端末７から表示管理装置４に対してユーザ登録を行った場合に、制御部２０によってユーザ情報テーブルに設定される。
【００６０】
［５．作用（無線ＬＡＮアクセスポイントの処理）］
次に、実施形態に係る無線ＬＡＮアクセスポイント３の情報処理について、図２および図９を参照して説明する。図９は、実施形態に係る無線ＬＡＮアクセスポイント３における情報処理のフローチャートである。かかる動作は、無線ＬＡＮアクセスポイント３の制御部４３によって繰り返し実行される処理である。
【００６１】
図９に示すように、無線ＬＡＮアクセスポイント３の制御部４３は、無線端末７を検出したか否かを判定する（ステップＳ１０）。制御部４３は、無線端末７から周期的に無線パケット（例えば、プローブ要求）がブロードキャストなどによって送信される場合、かかる無線パケットを無線ＬＡＮ−Ｉ／Ｆ４１を介して取得することで、無線端末７の存在を検出する。
【００６２】
また、制御部４３は、周期的に無線パケットが送信されない無線端末７に対して、例えば、無線パケットを定期的に無線ＬＡＮ−Ｉ／Ｆ４１を介してブロードキャストし、かかる無線パケットに対する応答パケットを受信することで、無線端末７の存在を検出する。
【００６３】
制御部４３は、例えば無線端末７１（図２参照）を検出したと判定すると（ステップＳ１０；Ｙｅｓ）、制御部４３は、検出情報を通信Ｉ／Ｆ４２を介して表示管理装置４へ送信する（ステップＳ１１）。具体的には、制御部４３は、無線端末７１から送信される無線パケットに含まれる無線端末７１の識別情報（端末ＩＤ）を抽出し、さらに無線パケットの電波強度を検出する。
【００６４】
そして、制御部４３は、無線端末７１の識別情報である端末ＩＤ、無線端末７１の電波強度、および検出時刻の情報に加え、自身の無線ＬＡＮアクセスポイント３の識別情報であるＡＰ−ＩＤを含む情報を検出情報として、表示管理装置４へ送信する。無線ＬＡＮアクセスポイント３の識別情報としては、例えば、通信Ｉ／Ｆ４２に割り当てられるＩＰアドレスを用いることができるが、固有情報であればよく他の識別情報であってもよい。
【００６５】
ステップＳ１０の処理において、例えば無線端末７１を検出していないと判定した場合（ステップＳ１０；Ｎｏ）、または、ステップＳ１１の処理が終了した場合、制御部４３は、表示管理装置４から通信Ｉ／Ｆ４２を介して情報を受信したか否かを判定する（ステップＳ１２）。表示管理装置４から情報を受信したと判定すると（ステップＳ１２；Ｙｅｓ）、制御部４３は、表示管理装置４から受信した情報をこの情報の宛先となる無線端末７ｍへ転送する（ステップＳ１３）。
【００６６】
ここで、上述した無線端末７ｍは、無線端末７１〜７ｎ（図２参照）のうち、制御部４３によって当該無線ＬＡＮアクセスポイント３の通信エリアに存在していることを検出されており（ステップＳ１０；Ｙｅｓ）、かつ、現在も当該通信エリアに在圏している無線端末７を表す。かかる無線端末７ｍは、１台でも複数台でもよい。なお、表示管理装置４から受信した情報の宛先が自身の無線ＬＡＮアクセスポイント３である場合、制御部４３は受信した情報に応じた処理を行う。
【００６７】
ステップＳ１２において、表示管理装置４から情報を受信していないと判定した場合（ステップＳ１２；Ｎｏ）、または、ステップＳ１３の処理が終了した場合、制御部４３は、無線端末７ｍから表示管理装置４に対する要求があるか否かを判定する（ステップＳ１４）。
【００６８】
制御部４３は、無線端末７ｍから表示管理装置４に対する要求があると判定すると（ステップＳ１４；Ｙｅｓ）、無線端末７ｍからの要求を通信Ｉ／Ｆ４２を介して表示管理装置４に転送する（ステップＳ１５）。無線端末７ｍから表示管理装置４に対する要求として、例えば情報提供要求などがある。
【００６９】
ステップＳ１５の処理が終了した場合、または、ステップＳ１４において、無線端末７ｍから表示管理装置４に対する要求がないと判定された場合（ステップＳ１４；Ｎｏ）、制御部４３は処理を終了する。制御部４３は、例えば、ステップＳ１０、Ｓ１１の処理、ステップＳ１２、Ｓ１３の処理、および、ステップＳ１４、Ｓ１５の処理をそれぞれ併行して処理するマルチタスク処理を実行することもできる。
【００７０】
このように、無線ＬＡＮアクセスポイント３の制御部４３は、中継手段として、無線端末７と表示管理装置４との間で行われる情報の送受信を中継する中継機能を有する。さらに、無線ＬＡＮアクセスポイント３の制御部４３は、検出手段として、通信エリア内に存在する無線端末７を検出し、検出情報送信手段として、検出した無線端末７の識別情報および電波強度の情報などを表示管理装置４へ送信する。
【００７１】
なお、上述の処理では、無線端末７の端末ＩＤを検出する度に表示管理装置４へ送信することとしたが、制御部４３は、所定期間に検出した無線端末７の端末ＩＤをまとめて表示管理装置４に送信することもできる。
【００７２】
また、制御部４３は、繰り返し連続して同一の無線端末７の端末ＩＤを検出した場合、最初の検出情報は検出するとすぐに表示管理装置４へ送信し、その後、端末ＩＤの検出タイミングに関わらず無線端末７の端末ＩＤを検出しなくなるまで、所定間隔で検出情報を表示管理装置４へ送信することもできる。
【００７３】
また、制御部４３は、繰り返し連続して同一の無線端末７の端末ＩＤを検出した場合、無線端末７からの無線パケットの電波強度が所定値未満であれば、端末ＩＤをすぐに表示管理装置４へ送信し、電波強度が所定値以上であれば、表示管理装置４へ端末ＩＤを所定間隔で送信するようにもできる。
【００７４】
また、制御部４３は、無線ＬＡＮアクセスポイント３の図示しない操作部からの入力に基づき、無線ＬＡＮ−Ｉ／Ｆ４１の無線通信エリアを設定する。なお、制御部４３は表示管理装置４からの要求に基づいて無線ＬＡＮ−Ｉ／Ｆ４１の無線通信エリアを設定することもできる。
【００７５】
［６．作用（表示管理装置の情報処理）］
次に、実施形態に係る表示管理装置４の情報処理について説明する。図１０は、実施形態に係る表示管理装置４における情報処理のフローチャートである。かかる動作は、表示管理装置４の制御部２０によって定期的または繰り返し実行される処理である。
【００７６】
図１０に示すように、制御部２０は、通信Ｉ／Ｆ１０を介して広告主端末５からの表示情報を受付部２１で受け付けたか否かを判定する（ステップＳ２０）。受付部２１が表示情報を受け付けた場合（ステップＳ２０；Ｙｅｓ）、制御部２０は、入札登録を実行する（ステップＳ２１）。
【００７７】
具体的には、制御部２０の取得部２２は、受付部２１で受け付けた表示情報に対して入札ＩＤを割り当てる。そして、取得部２２は、割り当てた入札ＩＤに表示情報に含まれる表示条件および表示コンテンツ条件を関連付けた情報（以下、受付入札情報と記載する）を記憶部３０に記憶される入札情報テーブルに追加し、表示情報に含まれる表示コンテンツを記憶部３０に記憶することによって入札登録を実行する。なお、表示情報には、広告主ＩＤが含まれており、かかる広告主ＩＤに対応付けて受付入札情報が入札情報テーブルに追加される。
【００７８】
ステップＳ２０において、表示情報を受付部２１が受け付けていない場合（ステップＳ２０；Ｎｏ）、制御部２０は、通信Ｉ／Ｆ１０を介して無線ＬＡＮアクセスポイント３からの検出情報を受付部２１で受け付けたか否かを判定する（ステップＳ２２）。受付部２１が検出情報を受け付けた場合（ステップＳ２２；Ｙｅｓ）、制御部２０は、検出情報処理を実行する（ステップＳ２３）。かかる検出情報処理は、図１１のステップＳ３０〜Ｓ３２の処理であり、後で詳述する。
【００７９】
ステップＳ２２において、検出情報を受付部２１が受け付けていない場合（ステップＳ２２；Ｎｏ）、制御部２０は、入札処理契機になったか否かを判定する（ステップＳ２４）。入札処理契機は、所定時間毎または所定の条件に基づいて繰り返し到来するように設定され、例えば、１時間毎に到来するように設定される。入札処理契機になったと判定すると（ステップＳ２４；Ｙｅｓ）、制御部２０は、入札処理を実行する（ステップＳ２５）。かかる入札処理は、図１３のステップＳ４０〜Ｓ４６の処理であり、後で詳述する。
【００８０】
ステップＳ２４において、入札処理契機になっていない場合（ステップＳ２４；Ｎｏ）、制御部２０は、通信Ｉ／Ｆ１０を介して無線端末７から情報提供要求を受付部２１で受け付けたか否かを判定する（ステップＳ２６）。情報提供要求を受付部２１で受け付けた場合（ステップＳ２６；Ｙｅｓ）、制御部２０は、情報提供処理を実行する（ステップＳ２７）。
【００８１】
具体的には、情報提供要求を受け付けた場合、制御部２０は、かかる情報提供要求を中継した無線ＬＡＮアクセスポイント３を介して情報提供要求に対応する情報を無線端末７に送信する。
【００８２】
例えば、後述する図１２（ｂ）に示すような文字コンテンツが無線端末７に表示されている場合、無線端末７のユーザは、リンク情報である「クーポンへ移動⇒」を選択することで、広告主ページの表示を要求する情報提供要求が表示管理装置４に送信される。表示管理装置４は、かかる情報提供要求を受け付けると、記憶部３０に記憶したコンテンツを無線端末７に送信する。無線端末７は、例えば、専用プログラムやブラウザなどによって表示管理装置４から送信されたコンテンツを表示する。
【００８３】
ステップＳ２１、Ｓ２３、Ｓ２５、Ｓ２７の処理が終了した場合、または、ステップＳ２６において情報提供要求を受付部２１で受け付けていない場合（ステップＳ２６；Ｎｏ）、制御部２０は、処理を終了する。
【００８４】
［７．作用（表示管理装置の検出情報処理）］
次に、表示管理装置４における検出情報処理について説明する。図１１は、図１０に示すステップＳ２３の検出情報処理のフローチャートである。
【００８５】
図１１に示すように、制御部２０の受付部２１は、検出情報処理を開始すると、ＡＰ−ＩＤ、端末ＩＤ、電波強度および検出時刻の情報を含む検出情報に基づいて、記憶部３０のＤＳ情報テーブルを更新する（ステップＳ３０）。
【００８６】
例えば、ＤＳ情報テーブルにおいて、検出情報に含まれるＡＰ−ＩＤが、検出情報に含まれる端末ＩＤに対応付けられていないとする。この場合、受付部２１は、ＤＳ情報テーブルにおいて、検出情報に含まれるＡＰ−ＩＤに、検出情報に含まれる端末ＩＤ、電波強度および検出時刻を関連付けて、ＤＳ情報テーブルを更新する。なお、検出情報に含まれる検出時刻がＤＳ情報テーブルの進入時刻となる。
【００８７】
一方、ＤＳ情報テーブルにおいて、検出情報に含まれるＡＰ−ＩＤが、検出情報に含まれる端末ＩＤに対応付けられている場合、受付部２１は、対応付けられている端末ＩＤの電波強度を検出情報に含まれる電波強度に変更する。これにより、ＤＳ情報テーブルでは、検出情報が受付部２１で受け付けられる度に、電波強度の情報が更新される。なお、無線端末７の進入時刻からの電波強度の履歴をＤＳ情報テーブルに設定することもできる。
【００８８】
また、ＤＳ情報テーブルに設定された端末ＩＤのうち、対応するＡＰ−ＩＤの無線ＬＡＮアクセスポイント３から送信される検出情報に含まれなくなった期間が所定期間以上である端末ＩＤがある場合、受付部２１は、かかる端末ＩＤをＤＳ情報テーブルの対応するＡＰ−ＩＤから削除する。なお、検出情報に含まれなくなった期間が所定期間以上である端末ＩＤを上述した履歴情報としてチェックアウト時刻等に関連付けてＤＳ情報テーブルに設定することもできる。
【００８９】
ステップＳ３０におけるＤＳ情報テーブルの更新処理が終了すると、制御部２０の選択部２４は、通知対象の無線端末７があるか否かを判定する（ステップＳ３１）。選択部２４は、ＤＳ情報テーブルに新たに追加された端末ＩＤがある場合に、通知対象があると判定する。すなわち、検出情報に含まれるＡＰ−ＩＤに対応するＡＰ通信エリアに進入した無線端末７があるか否かを判定する。
【００９０】
通知対象の無線端末７がある場合（ステップＳ３１；Ｙｅｓ）、制御部２０は、コンテンツ通知処理を行う（ステップＳ３２）。具体的には、制御部２０の選択部２４は、通知対象の無線端末７に対して通知するコンテンツを選択する。
【００９１】
例えば、検出情報に含まれるＡＰ−ＩＤが「２１０」に対応するデジタルサイネージ２に表示されているＤＳ用表示コンテンツの格納位置が「ｄａｔａＡ／」である場合、選択部２４は、格納位置「ｄａｔａＡ／」に格納された端末用表示コンテンツを選択する。そして、送信部２６は、選択部２４によって選択された端末用表示コンテンツを通知対象の無線端末７へ送信する。
【００９２】
これにより、通知対象の無線端末７の表示部には端末用表示コンテンツが表示される。通知対象の無線端末７に表示される端末用表示コンテンツは、付近にあるデジタルサイネージ２に表示されているＤＳ用表示コンテンツに関連するコンテンツであり、これにより、広告効果を高めることができる。
【００９３】
例えば、図１２（ａ）に示すようなＤＳ用表示コンテンツがデジタルサイネージ２に表示されている状態で、かかるデジタルサイネージ２の付近に存在する無線端末７に図１２（ｂ）に示すような端末用表示コンテンツが表示される。図１２は、デジタルサイネージ２および無線端末７への表示例を示す図である。
【００９４】
ステップＳ３２のコンテンツ通知処理が終了した場合、または、ステップＳ３１において、通知対象の無線端末７がない場合（ステップＳ３１；Ｎｏ）、制御部２０は、検出情報処理を終了する。
【００９５】
［８．作用（表示管理装置の入札処理）］
次に、表示管理装置４における入札処理について説明する。図１３は、図１０に示すステップＳ２５の入札処理のフローチャートである。
【００９６】
図１３に示すように、制御部２０の選択部２４は、未処理のデジタルサイネージ２（以下、未処理ＤＳと記載する）があるか否かを判定する（ステップＳ４０）。例えば、表示システム１におけるデジタルサイネージ２の数が１０台である場合、選択部２４は、１回の入札処理契機において、１０台のデジタルサイネージ２のすべてに対してステップＳ４１以降の処理を実行していない場合に、未処理ＤＳがあると判定する。
【００９７】
未処理ＤＳがあると選択部２４が判定すると（ステップＳ４０；Ｙｅｓ）、制御部２０の判定部２３は、未処理ＤＳの一つに対して媒体属性である通行人情報の判定を行う（ステップＳ４１）。具体的には、判定部２３は、未処理ＤＳの周囲に存在する通行人の人数および属性を判定する。
【００９８】
通行人の人数は、未処理ＤＳに対応する無線ＬＡＮアクセスポイント３のＡＰ−ＩＤに対応する端末ＩＤ（以下、存在端末ＩＤと記載する）の数を、ＤＳ情報テーブルから抽出することによって判定される。例えば、図６に示す例では、ＡＰ−ＩＤ「２０１」に対応する存在端末ＩＤは、「３０１」〜「３０３」、「３０５」、「３１０」の５つであり、判定部２３は、未処理ＤＳの周囲に存在する通行人の人数を例えば５人と判定することができる。
【００９９】
なお、無線端末７を所有していない通行人も所定割合でいると考えられるため、判定部２３は、無線端末７の所持割合を考慮して、通行人の人数を判定することができる。例えば、想定される所持割合が６０％であり、存在端末ＩＤが５つである場合、未処理ＤＳの周囲に存在する通行人の人数を例えば８人であると判定する。
【０１００】
また、デジタルサイネージ２付近に無線ＬＡＮアクセスポイント３を設置している場合に、存在端末ＩＤに対応する無線端末７の電波強度が低いと、存在端末ＩＤに対応する無線端末７はデジタルサイネージ２からの距離が遠いところに位置すると考えられる。そのため、判定部２３は、所定の電波強度以上の存在端末ＩＤの数に基づいて通行人の人数を判定することもできる。
【０１０１】
また、ＡＰ通信エリアが、デジタルサイネージ２での表示により広告効果がある範囲よりも大きく設定されている場合や、広告効果がある範囲よりも小さく設定されている場合、判定部２３は、存在端末ＩＤの数から広告効果がある範囲の通行人の人数を推測することもできる。
【０１０２】
また、判定部２３は、過去の存在端末ＩＤに対応する滞在時間を判定し、滞在時間が所定時間以上である過去の存在端末ＩＤの割合を考慮して、通行人の人数を判定することができる。例えば、滞在時間が所定時間以上である過去の存在端末ＩＤの割合が６０％であり、存在端末ＩＤが５つである場合、通行人の人数を例えば３人であると判定することができる。
【０１０３】
通行人の属性は、ＤＳ情報テーブルから抽出された端末ＩＤに対応するユーザ属性がユーザ情報テーブルから抽出されることによって判定される。例えば、ユーザ情報テーブルが図８に示す状態であり、存在端末ＩＤが「３０１」である場合、判定部２３は、存在端末ＩＤに対応する無線端末７のユーザは「男性」であると判定する。
【０１０４】
そして、存在端末ＩＤに対応する無線端末７のユーザが「男性」である割合が所定割合（例えば、７０％）よりも多いと判定すると、判定部２３は、通行人の属性として「男性が多い」と判定し、その逆である場合には、通行人の属性として「女性が多い」と判定する。
【０１０５】
また、判定部２３は、通行人の属性として、性別以外に、ユーザ属性情報に基づいて、年代、エリア、好みなどに応じた属性を判定することもできる。また、存在端末ＩＤに対応する無線端末７の滞在時間を通行人の属性とすることもできる。
【０１０６】
また、判定部２３は、ＤＳ情報テーブルやユーザ属性情報に基づいて判定した通行人情報を無線ＬＡＮアクセスポイント３毎に記憶部３０に記憶する。具体的には、判定部２３は、ＡＰ−ＩＤ毎に、通行人の人数および属性を関連付けて通行人情報テーブルに記憶する。なお、通行人情報テーブルを設けずに、ＤＳ情報テーブルにおいて、ＡＰ−ＩＤ毎に通行人の人数および属性を追加するようにしてもよい。
【０１０７】
また、判定部２３による通行人情報の判定は、入札処理の周期で行うものとして説明したが、判定部２３は、入札処理の周期より短い周期で通行人情報の判定を行うこともできる。また、この場合、判定部２３は、判定した通行人の数を入札処理の周期で時間平均するようにしてもよい。このようにすることで、未処理ＤＳの周囲に存在する通行人の人数および属性を精度良く判定することができる。
【０１０８】
なお、ここでは、未処理ＤＳの周囲に存在する通行人の人数および属性が、単位時間当たりに未処理ＤＳの周囲を通過する通行人の数および属性と関係するから、未処理ＤＳの周囲に存在する通行人の人数および属性を判定するが、判定部２３による通行人情報の判定はこれに限定されるものではない。
【０１０９】
例えば、判定部２３は、ＤＳ情報テーブルに上述した履歴情報を設定している場合、過去の存在端末ＩＤ（チェックアウト時刻が設定された端末ＩＤ）を含めた存在端末ＩＤから、単位時間当たりにデジタルサイネージ２の周囲を通過する通行人の数や属性を判定することもできる。このようにすることで、より精度良く、未処理ＤＳの周囲に存在する通行人の人数および属性を判定することができる。
【０１１０】
ステップＳ４１において判定部２３が通行人情報を判定した後、選択部２４は、未処理の表示情報があるか否かを判定する（ステップＳ４２）。例えば、入札情報テーブルに表示情報として２０個の入札ＩＤがある場合、選択部２４は、１回の入札処理契機において、２０個の入札ＩＤのすべてに対してステップＳ４３以降の処理を実行していない場合に、未処理の表示情報があると判定する。
【０１１１】
未処理の表示情報がある場合（ステップＳ４２；Ｙｅｓ）、選択部２４は、判定対象の未処理ＤＳが表示条件を満たすか否かを判定する（ステップＳ４３）。例えば、未処理の表示情報として、入札ＩＤが「１０１」〜「１０４」（図５参照）の表示情報があり、判定対象の未処理ＤＳに対応する通行人情報が「人が多く」かつ「女性が多い」であると判定されているとする。この場合、判定対象の未処理ＤＳは入札ＩＤ「１０１」〜「１０４」のいずれの表示条件も満たす。
【０１１２】
一方、未処理の表示情報として、入札ＩＤが「１０１」〜「１０４」（図５参照）の表示情報があり、判定対象の未処理ＤＳに対応する通行人情報が「人が少なく」かつ「男性が多い」であると判定部２３に判定されているとする。この場合、判定対象の未処理ＤＳは入札ＩＤ「１０３」の表示情報のみ表示条件を満たす。
【０１１３】
ステップＳ４３の処理において、判定対象の未処理ＤＳが表示条件を満たす場合（ステップＳ４３；Ｙｅｓ）、設定部２５は、その表示条件が判定対象の未処理ＤＳの最低表示価格を満たすか否かを判定する（ステップＳ４４）。
【０１１４】
未処理ＤＳの最低表示価格は、判定対象の未処理ＤＳに対応する通行人の人数が多いほど高額になるように設定部２５によって設定される。例えば、判定対象の未処理ＤＳに対応する通行人の人数が「１０人」未満の場合に「５０円」、「１１〜２０人」の場合に「１００円」、「２１〜３０人」の場合に「１５０円」に設定される。
【０１１５】
そして、例えば、判定対象の未処理ＤＳの最低表示価格が「１００円」であり、判定対象の未処理ＤＳが入札ＩＤ「１０１」〜「１０４」（図５参照）のいずれの表示条件も満たすとする。この場合、入札ＩＤ「１０１」、「１０２」の表示情報が未処理ＤＳの最低表示価格を満たす。
【０１１６】
表示条件が判定対象の未処理ＤＳの最低表示価格を満たす場合（ステップＳ４４；Ｙｅｓ）、選択部２４は、判定対象の未処理ＤＳの最低表示価格を満たす表示条件の表示情報のうち、最も入札金額が高い表示情報に含まれる表示コンテンツを選択して判定対象の未処理ＤＳへ（ステップＳ４５）。例えば、入札ＩＤ「１０１」、「１０２」（図５参照）の表示情報が未処理ＤＳの最低表示価格を満たす場合、選択部２４は、最も入札金額が高い入札ＩＤ「１０２」の表示情報に含まれる表示コンテンツを選択して、対応するデジタルサイネージ２に送信する。
【０１１７】
未処理の表示情報がない場合（ステップＳ４２；Ｎｏ）、判定対象の未処理ＤＳが未処理のいずれの表示情報の表示条件も満たさない場合（ステップＳ４３；Ｎｏ）、または、未処理のいずれの表示情報の表示条件も判定対象の未処理ＤＳの最低表示価格を満たさない場合（ステップＳ４４；Ｎｏ）、選択部２４は、特定の表示コンテンツを選択して判定対象の未処理ＤＳへ送信する（ステップＳ４６）。
【０１１８】
特定の表示コンテンツは、例えば、入札情報テーブル以外の表示コンテンツである。判定対象の未処理ＤＳに対応する無線ＬＡＮアクセスポイント３経由で無線端末７がサイトにアクセスしている場合、かかるアクセス先サイトの情報を抽出し、かかるアクセス先サイトに対応する表示コンテンツを特定の表示コンテンツとすることもできる。
【０１１９】
ステップＳ４５の処理が終了した場合、ステップＳ４０の処理に戻り、また、未処理ＤＳがないと選択部２４が判定した場合（ステップＳ４０；Ｎｏ）やステップＳ４６の処理が終了した場合、制御部２０は判定処理を終了する。
【０１２０】
なお、制御部２０は、デジタルサイネージ２に表示コンテンツを表示することで、表示コンテンツ条件で規定された「表示回数」および「表示継続時間」を満たした表示情報がある場合、かかる表示情報を入札情報テーブルから削除する。
【０１２１】
このように、表示管理装置４では、デジタルサイネージ２の周囲の通行人が所持する無線端末７の識別情報に基づきデジタルサイネージ２における通行人情報を判定し、かかる通行人情報に基づいて表示情報に含まれる表示条件を満たすデジタルサイネージ２を選択する。
【０１２２】
このように、本実施形態の表示システム１では、無線ＬＡＮアクセスポイント３で容易に取得することができる無線端末７の識別情報に基づいてデジタルサイネージ２における通行人情報を取得する。したがって、例えば、デジタルサイネージ２の周囲をカメラなどの撮像機器によって撮像し、かかる撮像画像から通行人の情報を画像認識によって判別する場合に比べ、製造コストや処理コストを大幅に低減することができる。
【０１２３】
なお、表示情報にマッチしたデジタルサイネージ２の選択方法は、図１３に示す例に限定されるものではなく、種々の変更が可能である。
【０１２４】
［９．効果］
上述してきたように、実施形態に係る表示管理装置４は、取得部２２（取得手段の一例に相当）が、複数のデジタルサイネージ２のそれぞれに対応する位置に設置された各無線ＬＡＮアクセスポイント３から、対応するデジタルサイネージ２の周囲に存在する無線端末７の識別情報をそれぞれ取得し、受付部２１（受付手段の一例に相当）が、デジタルサイネージ２に表示する表示コンテンツと表示条件の情報とを含む表示情報を受け付け、選択部２４（選択手段の一例に相当）が、表示コンテンツ毎に、取得部２２によって取得された無線端末７の識別情報と表示条件の情報とに基づいて、複数のデジタルサイネージ２の中から表示コンテンツを表示するデジタルサイネージ２を選択し、送信部２６（送信手段の一例に相当）が、選択部２４によって選択された各デジタルサイネージ２にそれぞれ表示対象となる表示コンテンツを送信する。
【０１２５】
これにより、実施形態に係る表示管理装置４では、無線ＬＡＮアクセスポイント３で容易かつリアルタイムに取得することができる無線端末７の識別情報に基づいてデジタルサイネージ２における通行人情報を取得することができる。したがって、表示システム１では、通行人情報を容易かつリアルタイムに検出することができ、広告主の要望にマッチするデジタルサイネージ２を適切に選択することが可能となる。
【０１２６】
また、実施形態に係る表示管理装置４は、表示条件の情報には、支払い金額の情報である金額条件を含み、選択部２４が、複数の表示情報において、表示条件を満たすデジタルサイネージ２が重複する場合に、支払い金額が高い方の表示情報に含まれる表示コンテンツを優先してデジタルサイネージ２の選択を行う。
【０１２７】
これにより、実施形態に係る表示管理装置４では、表示管理装置４の運営者にとっては適正な価格でデジタルサイネージ２の表示権を販売することができ、広告主にとっては予算に応じて表示コンテンツをデジタルサイネージ２に表示することができる。さらに、デジタルサイネージ２の媒体主によっても自媒体の収益の向上を図ることができる。
【０１２８】
また、実施形態に係る表示管理装置４は、判定部２３（判定手段の一例に相当）が、無線端末７の識別情報から各デジタルサイネージ２の周囲にいる通行人の情報を判定し、表示条件の情報には、表示コンテンツのターゲットとなる通行人条件を含み、選択部２４が、複数の表示情報において、判定部２３によって判定された通行人情報が通行人条件を満たすデジタルサイネージ２が重複する場合、支払い金額が高い方の前記表示情報に含まれる表示コンテンツを優先してデジタルサイネージ２の選択を行う。
【０１２９】
これにより、実施形態に係る表示管理装置４では、広告主の要望により適したデジタルサイネージ２に表示コンテンツを表示することができる。
【０１３０】
また、実施形態に係る表示管理装置４は、判定部２３が、取得部２２によって取得した無線端末７の識別情報の数から、各デジタルサイネージ２の周囲にいる通行人の人数を判定し、表示コンテンツのターゲットとなる通行人の条件には、通行人の人数を含み、選択部２４は、表示コンテンツ毎に、判定部２３によって判定された通行人の人数に基づき、通行人の人数の条件を満たすデジタルサイネージ２を選択する。
【０１３１】
これにより、実施形態に係る表示管理装置４では、無線ＬＡＮアクセスポイント３で容易に取得することができる無線端末７の識別情報に基づいてデジタルサイネージ２における通行人の人数を判定することができる。
【０１３２】
また、実施形態に係る表示管理装置４は、設定部２５（表示価格設定手段の一例に相当）が、判定部２３によって判定された通行人の人数に応じて各デジタルサイネージ２の最低表示価格を設定し、選択部２４が、各デジタルサイネージ２の選択を、それぞれ対応する最低表示価格が金額条件以下である表示情報に含まれる表示コンテンツに対して行う。
【０１３３】
これにより、実施形態に係る表示管理装置４では、デジタルサイネージ２における通行人の人数に応じて最低表示価格が設定されることから、表示管理装置４の運営者にとっては適正な価格でデジタルサイネージ２の表示権を販売することができる。また、デジタルサイネージ２の媒体主によっても自媒体の収益の最大化を図ることができる。
【０１３４】
また、実施形態に係る表示管理装置４は、表示コンテンツのターゲットとなる通行人の条件には、通行人の属性を含み、記憶部３０（ユーザ情報記憶手段の一例に相当）が、無線端末７のユーザの属性と無線端末７の識別情報とを関連付けて記憶し、判定部２３が、取得部２２によって取得した無線端末７の識別情報に対応するユーザの情報を記憶部３０から取得して、各デジタルサイネージ２の周囲にいる各通行人の属性を判定し、選択部２４は、表示コンテンツ毎に、判定部２３による判定結果に基づき、通行人の属性の条件を満たすデジタルサイネージ２を選択する。
【０１３５】
これにより、実施形態に係る表示管理装置４では、無線ＬＡＮアクセスポイント３で容易に取得することができる無線端末７の識別情報に基づいてデジタルサイネージ２における通行人の属性を判定することができる。
【０１３６】
また、実施形態に係る表示管理装置４は、表示条件の情報には、表示コンテンツの表示継続時間および／または表示回数の条件を含み、選択部２４は、表示コンテンツの表示継続時間および／または表示回数が表示条件の情報に含まれる条件を満たすようにデジタルサイネージ２を選択する。
【０１３７】
これにより、実施形態に係る表示管理装置４では、広告主が設定した表示継続時間および／または表示回数で表示コンテンツをデジタルサイネージ２に表示することができるため、広告主の希望する表示条件での表示が可能となる。
【０１３８】
また、実施形態に係る表示管理装置４は、表示情報には、複数の表示コンテンツを複数含み、表示条件の情報には、複数の表示コンテンツの表示順序の条件を含み、選択部２４は、複数の表示コンテンツの表示順序が表示情報に含まれる条件を満たすようにデジタルサイネージ２を選択する。
【０１３９】
これにより、実施形態に係る表示管理装置４では、広告主が設定した表示順序で複数の表示コンテンツをデジタルサイネージ２に表示することができるため、複数の表示コンテンツを広告主の希望する表示条件で表示することができる。
【０１４０】
また、実施形態に係る表示管理装置４は、選択部２４が、表示コンテンツ毎に、定期的または所定の条件に基づいて繰り返し表示コンテンツを表示するデジタルサイネージ２の選択を行い、送信部２６は、選択部２４によってデジタルサイネージ２の選択が行われる度に、選択されたデジタルサイネージ２に表示対象となる表示コンテンツを送信する。
【０１４１】
これにより、実施形態に係る表示管理装置４では、通行人の時間変動に対応した価格でデジタルサイネージ２への表示権を販売することが可能となる。
【０１４２】
また、実施形態に係る表示管理装置４は、送信部２６が、表示コンテンツに関連する情報を、当該表示コンテンツを送信したデジタルサイネージ２に対応する無線ＬＡＮアクセスポイント３から取得部２２によって識別情報を取得した無線端末７に無線ＬＡＮアクセスポイント３を介して送信する。
【０１４３】
これにより、実施形態に係る表示管理装置４では、デジタルサイネージ２への表示コンテンツだけでなく、デジタルサイネージ２の周囲に存在する無線端末７に対しても関連するコンテンツを表示することができる。これにより、広告効果を向上させることができる。
【０１４４】
［１０．その他］
上記実施形態では、デジタルサイネージ２の通行人情報として通行人の人数と通行人の属性を通行人情報テーブルに含むこととしたが、例えば、デジタルサイネージ２の通行人情報として通行人の属性を通行人情報テーブルに含まないようにしてもよい。この場合、通行人の人数が表示条件となり、通行人の属性は表示条件にはならない。このようにすることで、デジタルサイネージ２の通行人情報をより容易に判定することができる。
【０１４５】
また、通行人情報テーブルには、通行人の属性に代えて、通行人の平均滞在時間およびデジタルサイネージ２の価値情報を含むようにしてもよい。この場合、デジタルサイネージ２の価値情報として、下記のＧＩＰ（Gross  Impression  Point）を適用できる。
デジタルサイネージ２のＧＩＰ＝ｒ×ｔｓ×ｔｉ
ｒ：所定時間当たりの通行人の人数
ｔｓ：通行人の平均滞在時間
ｔｉ：デジタルサイネージ２の単位表示時間
なお、「デジタルサイネージ２の単位表示時間」とは、表示コンテンツを継続して表示する時間である。例えば、「デジタルサイネージ２の単位表示時間」が１０分の場合、１０分毎に入札処理に応じた表示コンテンツが選択される。
【０１４６】
制御部２０は、上述したデジタルサイネージ２の価値情報に基づいて、入札処理を行うことで、デジタルサイネージ２の選択を容易に行うことができる。例えば、上記ＧＩＰを適用した場合、広告主は、表示条件の情報として、属性情報に代えてＧＩＰ情報を設定する。例えば、デジタルサイネージ２のＧＩＰが「１００００」であり、表示条件に含まれるＧＩＰ情報が「１００００」未満である場合、かかる表示条件の表示情報は選択されない。
【０１４７】
また、デジタルサイネージ２のＧＩＰが「１００００」であり、表示条件に含まれるＧＩＰ情報が「３００００」で入札金額が「１００円」である表示情報と、表示条件に含まれるＧＩＰ情報が「４００００」で入札金額が「８０円」である表示情報があるとする。この場合、制御部２０は、ＧＩＰが「１００００」のデジタルサイネージ２に対して、入札金額の高い表示情報（入札金額が「１００円」である表示情報）に含まれる表示コンテンツを選択する。なお、上記ＧＩＰの例では、通行人の人数と平均滞在時間とに基づいて算出する例を示したが、ユーザの属性情報もポイント化してＧＩＰの演算に含まるようにしてもよい。
【０１４８】
また、上述においては、無線端末７の識別情報とユーザ属性とを関連づけたユーザ情報テーブルとに基づいて、通行人の属性を判定するようにしたが、ユーザの属性情報の判定はかかる手法に限定されるものではない。例えば、判定部２３は、無線端末７の機種種別からユーザの属性情報を判定することもできる。かかる判定手法では、機種種別に応じて、使用するユーザの性別や年齢の傾向があることから、ユーザ登録などをすることなくユーザの属性情報を判定することができる。
【０１４９】
具体的には、無線端末７の識別情報である端末ＩＤと無線端末７の機種種別の情報とを関連づけた端末情報テーブルと、無線端末７の機種種別と購入ユーザの属性情報とを関連づけた端末種別情報テーブルとを記憶部３０に記憶しておく。購入ユーザの属性情報は、例えば、その機種種別の無線端末７を購入した割合が最も多いユーザの属性情報である。例えば、機集種別が「Ａ」である無線端末７が「女性」で「２０才代」の購入者が多ければ、機集種別「Ａ」の購入ユーザの属性情報は、「女性」、「２０才代」である。そして、判定部２３は、かかる端末情報テーブルと端末種別情報テーブルとに基づき、ユーザの属性情報を判定する。なお、この場合、無線端末７は、携帯電話に限らず、無線ＬＡＮ機能を備えたポータブルゲーム機や音楽プレイヤーであってもよい。
【０１５０】
また、上述の実施形態においては、一つのデジタルサイネージ２に対して一つの無線ＬＡＮアクセスポイント３を対応させて設置するようにしたが、かかる形態に限定されるものではない。例えば、複数のデジタルサイネージ２を一つの無線ＬＡＮアクセスポイント３に対応して設け、これらのデジタルサイネージ２に関連する情報を表示するようにしてもよい。
【０１５１】
また、上述の実施形態においては、無線端末７が無線ＬＡＮアクセスポイント３の通信エリアに進入した場合に、対応するデジタルサイネージ２に表示している表示コンテンツと関連するコンテンツを無線端末７へ送信することとしたが、コンテンツの送信タイミングはかかるタイミングに限られない。
【０１５２】
例えば、無線端末７の滞在時間が所定時間以上となる場合に、送信部２６がコンテンツを無線端末７へ送信するようにしてもよい。また、デジタルサイネージ２へ表示する表示コンテンツを変更してから所定時間後に、切替え後の表示コンテンツに関連するコンテンツを送信部２６が無線端末７へ送信するようにしてもよい。
【０１５３】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５４】
また、上述した表示管理装置４は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。また、上述した表示管理装置４の機能の一部を無線ＬＡＮアクセスポイント３で実現するようにしてもよい。
【符号の説明】
【０１５５】
１  表示システム
２１〜２ｎ、２  デジタルサイネージ
３１〜３ｎ、３  無線ＬＡＮアクセスポイント
４  表示管理装置
５１〜５ｎ、５  広告主端末
６  通信ネットワーク
７１〜７ｎ、７  無線端末
１０、４２  通信Ｉ／Ｆ
２０、４３  制御部
２１  受付部
２２  取得部
２３  判定部
２４  選択部
２５  設定部
２６  送信部
３０、４４  記憶部
４１  無線ＬＡＮＩ／Ｆ
【図１】
0005523601.tif 000002
【図２】
0005523601.tif 000003
【図３】
0005523601.tif 000004
【図４】
0005523601.tif 000005
【図５】
0005523601.tif 000006
【図６】
0005523601.tif 000007
【図７】
0005523601.tif 000008
【図８】
0005523601.tif 000009
【図９】
0005523601.tif 000010
【図１０】
0005523601.tif 000011
【図１１】
0005523601.tif 000012
【図１２】
0005523601.tif 000013
【図１３】
0005523601.tif 000014